(57)【要約】      （修正有）【課題】同一読み物、或いは同一頁に異なる目的で付箋が複数貼着された場合でも、どの付箋を目印にすれば良いのかが容易に判別出来る付箋セットを提供する。【解決手段】裏面に粘着部が設けられた記事指摘片２と、裏面に粘着部が設けられた頁指摘片３とが分離可能な付箋が複数の組み合わせからなる付箋セットであって、一体的に関連付けられた記事指摘片２と頁指摘片３とを有し、互いに異なる複数種類の付箋４ａ〜４ｄを組み合わせてなる。【選択図】図１
0003181238.tif 000002
【実用新案登録請求の範囲】
【請求項１】
裏面に粘着部が設けられた記事指摘片と、裏面に粘着部が設けられた頁指摘片とが分離可能な付箋が複数の組み合わせからなる付箋セットであって、
一体的に関連付けられた前記記事指摘片と前記頁指摘片とを有し、互いに異なる複数種類の付箋を組み合わせてなることを特徴とする付箋セット。
【請求項２】
前記記事指摘片と前記頁指摘片とが、色によって一体的に関連付けられたことを特徴とする請求項１に記載の付箋セット。
【請求項３】
前記記事指摘片と前記頁指摘片とが、模様によって一体的に関連付けられたことを特徴とする請求項１に記載の付箋セット。
【請求項４】
前記記事指摘片と前記頁指摘片とが、形状によって一体的に関連付けられたことを特徴とする請求項１に記載の付箋セット。
【請求項５】
前記記事指摘片の先端が指摘部を強調し得る先鋭形状で形成されたことを特徴とする請求項１〜４のいずれか１項に記載の付箋セット。
【請求項６】
前記記事指摘片と、前記頁指摘片とを分離する分離線の端部に切り口を設けたことを特徴とする請求項１〜５のいずれか１項に記載の付箋セット。
【請求項７】
前記記事指摘片と、前記頁指摘片とが湾曲した分離線により分離可能とされ、該湾曲した分離線は、前記記事指摘片を指で押さえた際に該指の輪郭形状に沿った形状で形成されたことを特徴とする請求項１〜６のいずれか１項に記載の付箋セット。
【請求項８】
前記記事指摘片の先端に指摘部を強調し得るマーキングを設けたことを特徴とする請求項１〜７のいずれか１項に記載の付箋セット。
【請求項９】
前記記事指摘片は、更に複数に分離可能であることを特徴とする請求項１〜８のいずれか１項に記載の付箋セット。
【考案の詳細な説明】
【技術分野】
【０００１】
本考案は、書籍、雑誌、新聞、ノートブック等（以下、「読み物」という）の該当頁に貼着する付箋セットに関するものである。
【背景技術】
【０００２】
従来、読み物の該当頁と、その頁の該当記事に目印となる付箋を分離して貼着し得る分離型付箋シートが特許文献１により提案されている。
【先行技術文献】
【特許文献】
【０００３】
【特許文献１】実用新案登録第３０８００１２号公報
【考案の概要】
【考案が解決しようとする課題】
【０００４】
しかしながら、前述の特許文献１の付箋では、例えば、同一読み物、或いは同一頁に異なる目的で付箋が複数貼着された場合には、どの付箋を目印にすれば良いのかが不明であったため、結果、全ての付箋を確認する必要があり、該当頁、或いは、該当箇所を特定する作業に時間がかかるという問題があった。
【０００５】
本考案は前記課題を解決するものであり、その目的とするところは、同一読み物、或いは同一頁に異なる目的で付箋が複数貼着された場合でも、どの付箋を目印にすれば良いのかが容易に判別出来る付箋セットを提供せんとするものである。
【課題を解決するための手段】
【０００６】
前記目的を達成するための本考案に係る付箋セットの代表的な構成は、裏面に粘着部が設けられた記事指摘片と、裏面に粘着部が設けられた頁指摘片とが分離可能な付箋が複数の組み合わせからなる付箋セットであって、一体的に関連付けられた前記記事指摘片と前記頁指摘片とを有し、互いに異なる複数種類の付箋を組み合わせてなることを特徴とする。
【考案の効果】
【０００７】
上記構成によれば、分離可能な記事指摘片と頁指摘片とが一体的に関連付けられた付箋が互いに異なる複数種類組み合わされているため、一人、或いは複数人が目的別に付箋の種類を選択し、一体的に関連付けられた記事指摘片と頁指摘片とを分離して、該頁指摘片により該当頁を特定すると共に、記事指摘片により該当箇所を特定することが出来る。
【図面の簡単な説明】
【０００８】
【図１】本考案に係る付箋セットの一例を示す平面図である。
【図２】本考案に係る付箋セットの一例を示す平面図である。
【図３】（ａ）は本考案に係る付箋セットの付箋の表面側の構成を示す平面図、（ｂ）は本考案に係る付箋セットの付箋の裏面側の構成を示す平面図である。
【図４】本考案に係る付箋セットを同一頁に一人、或いは複数人が目的別に使用した一例を示す平面図である。
【図５】（ａ）は本考案に係る付箋セットの付箋の記事指摘片を読み物の該当箇所に貼着し、分離線に沿って頁指摘片を分離する様子を示す斜視説明図、（ｂ）は分離した頁指摘片を読み物の該当頁から一部が外に露出する位置に貼着する様子を示す斜視説明図である。
【図６】（ａ），（ｂ）は分離線が湾曲した形状の一例を示す平面図である。
【図７】（ａ），（ｂ）は記事指摘片が複数に分離可能に構成された一例を示す平面図である。
【考案を実施するための形態】
【０００９】
図により本考案に係る付箋セットの一実施形態を具体的に説明する。
【００１０】
図１及び図２は本考案に係る付箋セットの一例を示す。図１及び図２に示す付箋セットＡ１〜Ａ６は、記事指摘片２と頁指摘片３とが同色で構成されることによって一体的に関連付けられ、互いに異なる複数種類の色の付箋４が組み合わされて一組にセットされている。付箋４は紙や合成樹脂からなるシート状で形成することでも良いし、読み物８を閉じない形態もののであれば板状や、他の各種の立体的な付箋４であっても良い。
【００１１】
本実施形態では、付箋セットＡ１，Ａ２の付箋４ａ〜４ｄは、左から「青色」「ピンク色」「黄色」「緑色」で構成され、付箋セットＡ３の付箋４ａ〜４ｄは、左から「ピンク色」「青色」「緑色」「黄色」で構成されている。また、付箋セットＡ４の付箋４ａ〜４ｄは、左から「赤色」「オレンジ色」「緑色」「青色」で構成され、付箋セットＡ５の付箋４ａ〜４ｄは、左から「紫色」「緑色」「赤色」「茶色」で構成されている。また、付箋セットＡ６の付箋４ａ〜４ｄは、左から「赤色」「青色」「緑色」「黄色」で構成された一例である。
【００１２】
尚、図１及び図２に示す各付箋４ａ〜４ｄは、現在の出願システムにおいてカラー表示ができないため便宜的に色の違いを白から黒までの明暗を灰色の階調で表現したグレースケールにより表現したものであるが、色の違いの一例として、実際に図１及び図２に示されたようにグレースケールによる違いも含めることが出来る。
【００１３】
また、付箋セットＡ１〜Ａ３の付箋４ａ〜４ｄは、形状が同一の矢印形状で表面に印刷された模様が互いに異なる。また、付箋セットＡ４の付箋４ａ〜４ｄは、鉛筆形状で、付箋セットＡ５の付箋４ａ〜４ｄは、万年筆形状で、付箋セットＡ６の付箋４ａ〜４ｄは、クレヨン形状で構成され、形状が互いに異なる。
【００１４】
また、各記事指摘片２の先端は、書籍、雑誌、新聞、ノートブック等の読み物８の該当箇所の指摘部を強調し得る先鋭形状で形成されている。本実施形態では、付箋セットＡ１〜Ａ３の付箋４ａ〜４ｄの記事指摘片２の先端は、矢印からなる先鋭形状で形成されている。また、付箋セットＡ４の付箋４ａ〜４ｄの記事指摘片２の先端は、鉛筆の芯先からなる先鋭形状で形成されている。また、付箋セットＡ５の付箋４ａ〜４ｄの記事指摘片２の先端は、ペン先からなる先鋭形状で形成されている。また、付箋セットＡ６の付箋４ａ〜４ｄの記事指摘片２の先端は、クレヨンの先端からなる先鋭形状で形成されている。
【００１５】
また、付箋セットＡ４の付箋４ａ〜４ｄの記事指摘片２の先端を形成する鉛筆の芯先や、付箋セットＡ５の付箋４ａ〜４ｄの記事指摘片２の先端を形成するペン先は、読み物８の該当箇所の指摘部を強調し得るマーキングの役割を兼ねている。尚、付箋セットＡ１〜Ａ３の付箋４ａ〜４ｄの記事指摘片２の先端を形成する矢印の先端や、付箋セットＡ６の付箋４ａ〜４ｄの記事指摘片２の先端を形成するクレヨンの先端に読み物８の該当箇所の指摘部を強調し得るマーキングを設けても良い。
【００１６】
図３（ｂ）に示すように、各付箋４の記事指摘片２の裏面には粘着部５が設けられ、頁指摘片３の裏面には粘着部６が設けられている。粘着部５，６は一体的に設けられても良いし、離間して別々に設けられても良い。
【００１７】
各付箋４の記事指摘片２と、頁指摘片３とは分離線７により分離可能に構成されている。尚、本実施形態の分離線７はミシン目の切り取り線で構成したが、他の種々の分離可能な分離手段で構成することも出来る。例えば、付箋４が板状や立体形状であれば、着脱自在に接離可能な係合・分離手段を用いて分離可能に構成することで、複数回の再利用も可能となる。
【００１８】
図１及び図２に示す付箋セットＡ１〜Ａ６の付箋４ａ〜４ｄの分離線７は、直線形状で構成された一例である。また、図６（ａ）に示す付箋セットＡの付箋４の分離線７は、頁指摘片３側に凸の湾曲形状で構成された一例である。また、図６（ｂ）に示す付箋セットＡの付箋４の分離線７は、記事指摘片２側に凸の湾曲形状で構成された一例である。
【００１９】
特に、図６（ａ）に示す付箋セットＡの付箋４の分離線７は、図５（ａ）に示すように、読み物８の該当箇所の指摘部付近に記事指摘片２の裏面に設けられた粘着部５により貼着した状態で、該記事指摘片２を表面側から指で押さえた際に該指の輪郭形状に沿った形状で形成された一例である。
【００２０】
図１〜図６に示す付箋セットＡの付箋４の分離線７の端部にはＵ字形状の切り口９が設けられた一例である。尚、付箋セットＡの付箋４の分離線７の端部にくさび形状の切り口９を設けても良い。これらの切り口９から分離線７を容易に破断して記事指摘片２と、頁指摘片３とを分離することが出来る。
【００２１】
図５（ａ）に示すように、所望の付箋セットＡの付箋４の記事指摘片２を読み物８の該当箇所に粘着部５により貼着し、該記事指摘片２を指で押さえて分離線７に沿って頁指摘片３を分離する。その後、図５（ｂ）に示すように、分離した頁指摘片３を読み物８の該当頁の端に粘着部６により貼着する。頁指摘片３の端部が読み物８からはみ出すように貼着すれば読み物８を閉じた状態でも頁指摘片３の端部が露出して該当頁が特定できる。
【００２２】
本実施形態によれば、分離可能な記事指摘片２と頁指摘片３とが一体的に関連付けられた付箋４が互いに異なる複数種類組み合わされている。このため、図４に示すように、一人、或いは複数人が目的別に付箋４の種類を選択し、一体的に関連付けられた記事指摘片２と頁指摘片３とを分離して、該頁指摘片３により該当頁を特定する。そして、記事指摘片２により該当箇所を特定することが出来る。図４は付箋セットＡを同一頁に一人、或いは複数人が目的別に一体的に関連付けられた各付箋４ａ，４ｂの記事指摘片２ａ，２ｂと頁指摘片３ａ，３ｂとを貼着して使用した一例を示す。
【００２３】
これにより、同一読み物８、或いは同一頁に異なる目的で付箋４が複数貼着された場合でも、どの付箋４を目印にすれば良いのかが容易に判別出来る。
【００２４】
図１及び図２に例示した付箋セットＡ１〜Ａ６は、付箋４ａ〜４ｄの記事指摘片２と頁指摘片３とが色によって一体的に関連付けられた一例を示したが、例えば、付箋セットＡ１〜Ａ３から所望の模様を適宜選択して一組にして、別の付箋セットＡとし、模様によって一体的に関連付けられた付箋４が複数の組み合わせからなる付箋セットとして構成しても良い。
【００２５】
また、他の例として、例えば、付箋セットＡ１、Ａ４〜Ａ６から所望の形状を適宜選択して一組にして、別の付箋セットＡとし、形状によって一体的に関連付けられた付箋４が複数の組み合わせからなる付箋セットＡとして構成しても良い。
【００２６】
このように、色や模様や形状によって一体的に関連付けられた記事指摘片２と頁指摘片３とを有し、互いに異なる複数種類の付箋４を組み合わせて付箋セットＡとすることで、一人、或いは複数人が目的別に付箋４の種類を選択し、一体的に関連付けられた記事指摘片２と頁指摘片３とを分離して、該頁指摘片３により該当頁を特定する。そして、記事指摘片２により該当箇所を特定することが出来る。
【００２７】
また、図７（ａ），（ｂ）に示すように、記事指摘片２を分離線７により更に複数に分離可能に構成することも出来る。これにより同一頁において複数の該当箇所を特定することが出来る。
【００２８】
尚、付箋４の記事指摘片２と頁指摘片３とを切り離さないで使用することも出来る。
【産業上の利用可能性】
【００２９】
本考案の活用例として、書籍、雑誌、新聞、ノートブック等の読み物の該当頁に貼着する付箋セットに適用出来る。
【符号の説明】
【００３０】
Ａ，Ａ１〜Ａ６ …付箋セット
２，２ａ，２ｂ …記事指摘片
３，３ａ，３ｂ …頁指摘片
４，４ａ〜４ｄ …付箋
５，６ …粘着部
８    …読み物
７    …分離線
９    …切り口
【図３】
0003181238.tif 000003
【図４】
0003181238.tif 000004
【図５】
0003181238.tif 000005
【図６】
0003181238.tif 000006
【図７】
0003181238.tif 000007
【図１】
0003181238.tif 000008
【図２】
0003181238.tif 000009